(57)【要約】      （修正有）【課題】事故の瞬間を撮影した動画情報を保全し、第三者が外部からリアルタイムに動画情報の確認を行うことができる撮影端末、撮影動画情報保全システムを提供する。【解決手段】サーバ装置２０と撮影端末１０とを備える撮影動画情報保全システムであり、撮影端末１０は、動画を撮影する撮影手段１５と、撮影した動画情報をサーバ装置に常時アップロードするアップロード手段１３と、外部からの衝撃を感知する衝撃感知手段１７と、衝撃感知手段１７が感知する衝撃の強度が所定の強度以上である場合、アップロードした動画情報を予め指定された通報先に送信することを要求する通報要求情報をサーバ装置２０に送信する通報要求送信手段１３と、を備える。【選択図】図１
2010108351.tif 000002
【特許請求の範囲】
【請求項１】
動画を撮影する撮影手段と、
前記撮影した動画情報を前記サーバ装置に自動的にアップロードするアップロード手段と、
外部からの衝撃を感知する衝撃感知手段と、
前記衝撃感知手段が感知する衝撃の強度が所定の強度以上である場合、前記アップロードした動画情報を予め指定された通報先に送信することを要求する通報要求情報を前記サーバ装置に送信する通報要求送信手段と、
を備えることを特徴とする撮影端末。
【請求項２】
前記動画を撮影した位置情報を取得する位置情報取得手段をさらに備え、
前記アップロード手段は、前記撮影した動画情報に加え、前記取得した位置情報を前記サーバ装置に常時アップロードする、
ことを特徴とする請求項１に記載の撮影端末。
【請求項３】
サーバ装置と撮影端末とを備える撮影動画情報保全システムであり、
前記撮影端末は、
動画を撮影する撮影手段と、
前記撮影した動画情報を前記サーバ装置に常時アップロードするアップロード手段と、
外部からの衝撃を感知する衝撃感知手段と、
前記衝撃感知手段が感知する衝撃の強度が所定の強度以上である場合、前記アップロードした動画情報を予め指定された通報先に送信することを要求する通報要求情報を前記サーバ装置に送信する通報要求送信手段と、
を備えることを特徴とする撮影動画情報保全システム。
【請求項４】
撮影端末を用いた撮影動画情報保全方法であって、
撮影手段は、動画を撮影し、
アップロード手段は、前記撮影した動画情報を前記サーバ装置に常時アップロードする、
衝撃感知手段は、外部からの衝撃を感知し、
通報要求送信手段は、前記衝撃感知手段が感知する衝撃の強度が所定の強度以上である場合、前記アップロードした動画情報を予め指定された通報先に送信することを要求する通報要求情報を前記サーバ装置に送信する、
ことを特徴とする撮影動画情報保全方法。
【請求項５】
撮影端末を、
動画を撮影する撮影手段、
前記撮影した動画情報を前記サーバ装置に常時アップロードするアップロード手段、
外部からの衝撃を感知する衝撃感知手段、
前記衝撃感知手段が感知する衝撃の強度が所定の強度以上である場合、前記アップロードした動画情報を予め指定された通報先に送信することを要求する通報要求情報を前記サーバ装置に送信する通報要求送信手段、
として機能させるためのプログラム。
【発明の詳細な説明】
【技術分野】
【０００１】
本発明は、事故の瞬間を撮影した動画情報を保全する撮影端末、撮影動画情報保全システム、撮影動画情報保全方法及びプログラムに関する。
【背景技術】
【０００２】
従来、事故発生時の事故原因の究明方法として、当事者や目撃者の証言等に基づいて推測することにより判断するのが通例であった。そのため、当事者同士の主張の食い違いや、目撃者の不在など、事故原因を客観的に判断することは困難であった。この困難性を解消する方法として、事故発生時の状況を撮影し、その撮影情報を記録するドライブレコーダーが実用化されている。
また近年、動画撮影機能を装備する携帯電話が広く普及している。この携帯電話の動画撮影機能をドライブレコーダー機能に利用する方法が、特許文献１で開示されている。
【特許文献１】再公表特許ＷＯ２００６／０７５４１９号公報
【発明の開示】
【発明が解決しようとする課題】
【０００３】
しかしながら、ドライブレコーダー及び特許文献１に記載の方法では、事故発生時に記録媒体の破損等が生じた場合、撮影した動画情報が消失してしまう恐れがあった。また、ドライブレコーダーまたは携帯電話本体に動画情報が保存されるため、第三者が外部からリアルタイムに確認を行うことができないという問題があった。
本発明は上記の点に鑑みてなされたものであり、その目的は、事故の瞬間を撮影した動画情報を保全し、第三者が外部からリアルタイムに動画情報の確認を行うことができる撮影端末、撮影動画情報保全システム、撮影動画情報保全方法及びプログラムを提供することにある。
【課題を解決するための手段】
【０００４】
本発明は上記の課題を解決するためになされたものであり、動画を撮影する撮影手段と、前記撮影した動画情報を前記サーバ装置に自動的にアップロードするアップロード手段と、外部からの衝撃を感知する衝撃感知手段と、前記衝撃感知手段が感知する衝撃の強度が所定の強度以上である場合、前記アップロードした動画情報を予め指定された通報先に送信することを要求する通報要求情報を前記サーバ装置に送信する通報要求送信手段と、を備えることを特徴とする。
【０００５】
また、本発明は、サーバ装置と撮影端末とを備える撮影動画情報保全システムであり、前記撮影端末は、動画を撮影する撮影手段と、前記撮影した動画情報を前記サーバ装置に常時アップロードするアップロード手段と、外部からの衝撃を感知する衝撃感知手段と、前記衝撃感知手段が感知する衝撃の強度が所定の強度以上である場合、前記アップロードした動画情報を予め指定された通報先に送信することを要求する通報要求情報を前記サーバ装置に送信する通報要求送信手段と、を備えることを特徴とする。
【０００６】
また、本発明は、撮影端末を用いた撮影動画情報保全方法であって、撮影手段は、動画を撮影し、アップロード手段は、前記撮影した動画情報を前記サーバ装置に常時アップロードする、衝撃感知手段は、外部からの衝撃を感知し、通報要求送信手段は、前記衝撃感知手段が感知する衝撃の強度が所定の強度以上である場合、前記アップロードした動画情報を予め指定された通報先に送信することを要求する通報要求情報を前記サーバ装置に送信する、ことを特徴とする。
【０００７】
また、本発明は、撮影端末を、動画を撮影する撮影手段、前記撮影した動画情報を前記サーバ装置に常時アップロードするアップロード手段、外部からの衝撃を感知する衝撃感知手段、前記衝撃感知手段が感知する衝撃の強度が所定の強度以上である場合、前記アップロードした動画情報を予め指定された通報先に送信することを要求する通報要求情報を前記サーバ装置に送信する通報要求送信手段、として機能させるためのプログラムである。
【発明の効果】
【０００８】
本発明によれば、撮影端末が撮影した動画情報をサーバ装置に常時アップロードするので、撮影端末の破損による動画情報の消失を防ぐことができる。
また、動画情報はサーバ装置に保存され、事故などにより撮影端末に外部からの強い衝撃を感知するとアップロードした動画情報を予め指定された通報先に送信することを要求する通報要求信号を送信するため、通報先である第三者が外部からリアルタイムに確認を行うことができる。
【発明を実施するための最良の形態】
【０００９】
以下、図面を参照しながら本発明の実施形態について詳しく説明する。
図１は、撮影動画情報保全システムの構成を示す概略ブロック図である。
撮影動画情報保全システムは、携帯電話１０（撮影端末）と、サーバ装置２０とを備える。
携帯電話１０は、動画を撮影し、サーバ装置２０に送信する。
サーバ装置２０は、携帯電話１０から動画情報を受信し、保持する。なお、サーバ装置は、携帯電話１０と無線で接続され、管理センターなどの遠隔地に設置される。
【００１０】
携帯電話１０は、制御部１１、変調部１２、送信部１３（アップロード手段、通報要求送信手段）、アンテナ部１４、撮影部１５（撮影手段）、位置情報取得部１６（位置情報取得手段）、センサ部１７（衝撃感知手段）、キー操作部１８、記憶部１９を備える。
制御部１１は、携帯電話１０の制御処理を行う。また、制御部１１は、サーバ装置２０に送信する情報を生成する。
変調部１２は、制御部１１が生成した情報を変調する。
送信部１３は、アンテナ部１４を介して変調部１２が変調した情報をサーバ装置２０に送信する。
撮影部１５は、動画を撮影する。
位置情報取得部１６は、ＧＰＳ（Global Positioning System、全地球測位システム）等により携帯電話１０の位置情報を取得する。
センサ部１７は、外部からの衝撃を感知する。
キー操作部１８は、ユーザからのキー入力を受け付ける。
記憶部１９は、予め緊急時対応設定の有無を記憶する。緊急時対応設定とは、撮影動画情報保全システムによって動画の撮影を行う設定のことである。
【００１１】
そして、撮影動画情報保全システムは、携帯電話１０が動画を撮影し、撮影した動画情報をサーバ装置２０に自動的にアップロードすることで、携帯電話１０の破損による動画情報の消失を防ぐ。
【００１２】
図２は、携帯電話の動作を示すフローチャートである。
図２に示す携帯電話の動作は、撮影動画情報保全システムにおいて、携帯電話１０が動画情報を保全する動作である。
まず、ユーザが電源ボタンを押下すること等により、キー操作部１８は電源の入力を受け付け、携帯電話１０の電源が投入される（ステップＳ１）。携帯電話１０の電源が投入されると、制御部１１は、記憶部１９が記憶する緊急時対応設定の有無を判定する（ステップＳ２）。
【００１３】
制御部１１は、緊急時対応設定がされていないと判定した場合（ステップＳ２：ＮＯ）、図示しない表示部に定期的な撮影を促す画面を表示する（ステップＳ３）。その後、キー操作部１８は、ユーザの操作によって緊急時対応設定を有効にする入力を受け付けたか否かを判定する（ステップＳ４）。キー操作部１８が緊急時対応設定を有効にする入力を受け付けていないと判定した場合（ステップＳ４：ＮＯ）、ステップＳ３に戻り、再度定期的な撮影を促す。
【００１４】
制御部１１が、緊急時対応設定がされていると判定した場合（ステップＳ２：ＹＥＳ）、またはキー操作部１８が緊急時対応設定を有効にする入力を受け付けたと判定した場合（ステップＳ４：ＹＥＳ）、撮影部１５は、動画の撮影を開始する（ステップＳ５）。撮影部１５が動画の撮影を開始すると、位置情報取得部１６は、ＧＰＳ等により携帯電話１０の位置情報を取得する（ステップＳ６）。
位置情報取得部１６が位置情報を取得すると、制御部１１は、撮影部１５が撮影した動画情報と位置情報取得部１６が取得した位置情報からサーバ装置２０にアップロードする情報を生成する。制御部１１が情報を生成すると、変調部１２は生成した情報を変調する。変調部が情報を変調すると、送信部１３はアンテナ部１４を介して変調した情報をサーバ装置２０にアップロードする（ステップＳ７）。なお、携帯電話１０は、動画を撮影している間、ステップＳ７による情報の生成、変調、アップロードの処理を常時実行する。
【００１５】
送信部１３が動画情報と位置情報とをアップロードすると、制御部１１は、センサ部１７が感知する外部からの衝撃の強度が所定の強度以上であるか否かを判定する（ステップＳ７）。センサ部１７が感知する外部からの衝撃の強度が所定の強度未満であると制御部１１が判定した場合（ステップＳ７：ＮＯ）、ステップＳ５に戻り、動画の撮影を継続する。
【００１６】
センサ部１７が感知する外部からの衝撃の強度が所定の強度以上であると制御部１１が判定した場合（ステップＳ７：ＹＥＳ）、制御部１１は、アップロードした動画情報を予め指定された通報先に送信することを要求する通報要求情報を生成する。ここで、予め指定された通報先とは、例えば消防機関や警察機関等である。制御部１１が通報要求情報を生成すると、変調部１２は生成した通報要求情報を変調する。変調部が通報要求情報を変調すると、送信部１３はアンテナ部１４を介して変調した通報要求情報をサーバ装置２０に送信する（ステップＳ８）。サーバ装置２０は、通報要求情報を受信すると、携帯電話１０がアップロードした動画情報を指定された通報先に送信する。これにより、事故発生直後に動画情報を通報先に送信できるため、通報先は、救急等迅速な対応ができる。
【００１７】
このように、本実施形態によれば、携帯電話１０は、動画を撮影し、撮影した動画情報をサーバ装置２０に常時アップロードする。これにより、携帯電話１０の破損による動画情報の消失を防ぐことができる。また、撮影された動画情報はサーバ装置２０が保持するため、第三者が外部からリアルタイムに確認を行うことができ、目撃者不在の事故・犯罪での証拠とすることができる。
また、本実施形態によれば、携帯電話１０は、動画情報に加え、携帯電話１０の位置情報をサーバ装置２０にアップロードする。これにより、サーバ装置２０を参照することで、第三者が事故の発生場所を容易に特定することができる。
また、本実施形態によれば、携帯電話１０は、事故発生などによる衝撃を感知し、感知した衝撃が所定の強度以上である場合、アップロードした動画情報を予め指定された通報先に送信することを要求する通報要求情報をサーバ装置２０に送信する。これにより、事故発生直後に動画情報を通報先に送信できるため、通報先は、救急等迅速な対応ができる。
【００１８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００１９】
なお、本実施形態では、撮影動画情報保全システムの基本的構成を示したが、例えば、携帯電話１０の設置場所を工夫することでさらに効果を得ることができる。
図３は、携帯電話を自動車の運転席に取り付けた例を示す図である。
図３において、携帯電話１０は、自動車内の運転席の置き台に設置、固定されている。このように、自動車の運転席の置き台に設置することで、自動車の運転手からの視界を撮影することができるため、リアルタイムで監視を行うことができるドライブレコーダーとしての効果を得ることができる。
また、小さい子供やお年寄りは、吊り下げ型のストラップを使用して携帯電話による撮影を行うことで、より安全確保につなげることができる。
【図面の簡単な説明】
【００２０】
【図１】撮影動画情報保全システムの構成を示す概略ブロック図である。
【図２】携帯電話の動作を示すフローチャートである。
【図３】携帯電話を自動車の運転席に取り付けた例を示す図である。
【符号の説明】
【００２１】
１０…携帯電話  １１…制御部  １２…変調部  １３…送信部  １４…アンテナ部  １５…撮影部  １６…位置情報取得部  １７…センサ部  １８…キー操作部  １９…記憶部  ２０…サーバ装置
【図１】
2010108351.tif 000003
【図２】
2010108351.tif 000004
【図３】
2010108351.tif 000005